(57)【要約】【課題】収納スペースを小さくできると共に紛失のおそれもないようにする。【解決手段】フライパンや鍋などの調理用容器１の蓋本体３の上面３Ａに、先端側９を接続して取手５を上面３Ａと間隔Ｊをおいて横向きまたは横斜め上向きに設け、先端側９を蓋本体３に回動自在に接続して取手５を起伏可能に設ける。先端側９を蓋本体３の上面３Ａに取付用座６を介して接続すると共に、該取付用座６と取手５との間にストッパー13を設ける。調理時などの使用時は取手５を起こし、一方収納時は取手５を折りたたむことによって使用時に比べ製品高さが低くなり、狭い空間にも収納が可能となり、さらに取手５は蓋本体３と一体的なので紛失することもない。また取手５を所定の角度Ａの位置で固定状態とすることができるので、取手５が使用時にぐらつかずに安定した状態で使用することができる。【選択図】図１
0003125074.tif 000002
【実用新案登録請求の範囲】
【請求項１】
フライパンや鍋などの調理用容器の蓋本体の上面に、先端側を接続して取手を前記上面と間隔をおいて横向きまたは横斜め上向きに設けた取手付き蓋において、前記先端側を前記蓋本体に回動自在に接続して前記取手を起伏可能に設けたことを特徴とする取手付き蓋。
【請求項２】
前記先端側を前記蓋本体の上面に取付用座を介して接続すると共に、該取付用座と前記取手との間にストッパーを設けたことを特徴とする請求項１記載の取手付き蓋。
【請求項３】
前記取付用座は前記上面より上方に向けて突設しており、該取付用座を跨ぐ二股部を前記先端側に設けると共に、該二股部を前記取付用座に回動自在に設け、前記二股部に前記ストッパーの本体を設けると共に、前記取付用座に前記本体が乗り越えて係止可能なストッパー受け部を設けたことを特徴とする請求項２記載の取手付き蓋。
【請求項４】
前記先端側を前記蓋本体の中心より該蓋本体の横方向の一側に設け、前記取手の回動角度を前記横方向の他側から挟角が鈍角となる前記一側まで形成することを請求項１〜３のいずれか１項に記載の取手付き蓋。
【請求項５】
前記蓋本体は平面が円形であって、その中心より該蓋本体の横方向一側に偏位した箇所に前記先端側を設け、前記取手の横長手方向長さを、前記先端側と前記蓋本体の横方向他側の蓋縁を結ぶ長さよりも短く形成したことを特徴とする請求項１〜４のいずれか１項に記載の取手付き蓋。
【請求項６】
前記蓋本体には平面が弧状の突起を蓋縁に沿って下向きに形成していることを特徴とする請求項１〜５のいずれか１項に記載の取手付き蓋。
【請求項７】
前記突起はほぼ同心円状に配置されると共に、該突起の中心は偏位していると共にほぼ該中心に前記先端側が設けられることを特徴とする請求項６記載の取手付き蓋。
【考案の詳細な説明】
【技術分野】
【０００１】
本考案は、フライパンや鍋などの調理用容器の取手付き蓋に関するものである。
【背景技術】
【０００２】
従来、取手の持ち手の部分を長くとり、蓋を立てた際にその取手を脚とし、蓋が自立可能な調理用容器の蓋が知られている。この種の蓋は自立時に側視した際、蓋の設置点、蓋の頂点、取手の接点を結んだ線が三角形になり、且つ、安定感を出すためにはその三角形の底辺をできる限り長くとる必要がある。但し、この底辺を広げるためには、取手を短くする方法と取手を長く高くとる方法の２方法があるが、取手を短くした場合、蓋の角度が寝すぎてしまい転倒のおそれがあることと、取手が短い場合、調理時に熱くなる蓋に手が接近、または触ってしまいやけどなどのおそれがある問題が生じていた。もう一方の取手を長くとる方法については、取手が短い場合の問題は解消できるが、取手が長くなったことにより、収容時などに取手が大きく飛び出す形となるため、占有空間を多く必要とし収納時など、空間効率が非常に悪くなるという問題円を有していた。
【０００３】
このような問題を解決するものとして、蓋の上面に横長な取手の先端を着脱自在に接続すると共に他端を自由端とし、１個あれば他の蓋にも共用できるようにした取手が知られている（例えば、特許文献１）。
【特許文献１】実用新案登録第３１１５２３０号公報
【考案の開示】
【考案が解決しようとする課題】
【０００４】
しかし、蓋に対して横長な取手を着脱自在に設けたものでは、蓋と取手が別体となるので、紛失してしまうおそれがある。
【０００５】
解決しようとする問題点は、上記問題点を解決するめに、収納スペースを小さくできると共に紛失のおそれもないようにする点である。
【課題を解決するための手段】
【０００６】
請求項１の考案は、フライパンや鍋などの調理用容器の蓋本体の上面に、先端側を接続して取手を前記上面と間隔をおいて横向きまたは横斜め上向きに設けた取手付き蓋において、前記先端側を前記蓋本体に回動自在に接続して前記取手を起伏可能に設けたことを特徴とする取手付き蓋である。
【０００７】
請求項２の考案は、前記先端側を前記蓋本体の上面に取付用座を介して接続すると共に、該取付用座と前記取手との間にストッパーを設けたことを特徴とする請求項１記載の取手付き蓋である。
【０００８】
請求項３の考案は、前記取付用座は前記上面より上方に向けて突設しており、該取付用座を跨ぐ二股部を前記先端側に設けると共に、該二股部を前記取付用座に回動自在に設け、前記二股部に前記ストッパーの本体を設けると共に、前記取付用座に前記本体が乗り越えて係止可能なストッパー受け部を設けたことを特徴とする請求項２記載の取手付き蓋である。
【０００９】
請求項４の考案は、前記先端側を前記蓋本体の中心より該蓋本体の横方向の一側に設け、前記取手の回動角度を前記横方向の他側から挟角が鈍角となる前記一側まで形成することを請求項１〜３のいずれか１項に記載の取手付き蓋である。
【００１０】
請求項５の考案は、前記蓋本体は平面が円形であって、その中心より該蓋本体の横方向一側に偏位した箇所に前記先端側を設け、前記取手の横長手方向長さを、前記先端側と前記蓋本体の横方向他側の蓋縁を結ぶ長さよりも短く形成したことを特徴とする請求項１〜４のいずれか１項に記載の取手付き蓋である。
【００１１】
請求項６の考案は、前記蓋本体には平面が弧状の突起を蓋縁に沿って下向きに形成していることを特徴とする請求項１〜５のいずれか１項に記載の取手付き蓋である。
【００１２】
請求項７の考案は、前記突起はほぼ同心円状に配置されると共に、該突起の中心は偏位していると共にほぼ該中心に前記先端側が設けられることを特徴とする請求項６記載の取手付き蓋である。
【考案の効果】
【００１３】
請求項１の考案によれば、先端側を蓋本体に回動自在に接続して取手を起伏可能に設けたことにより、収納時は取手を折りたたむことによって使用時に比べ収納スペースを小さくでき、さらに取手は蓋本体と一体的なので紛失することもない。
【００１４】
請求項２の考案によれば、取手を所定の角度の位置で固定状態とすることができるので、取手を安定した状態で使用することができる。
【００１５】
請求項３の考案によれば、ストッパーが握り部側にあらわれずにすみ、握りやすく、また取手にストッパーが一体的なので小型化できる。
【００１６】
請求項４の考案によれば、使用時における取手を長くでき、使用者が熱くなった蓋本体への接触を防止するための空間を広く取れるようになる。
【００１７】
請求項５の考案によれば、収納時に伏した取手が蓋縁より外側に突設することはなく、取手が蓋縁より突出してしまうようなことがなくなる。
【００１８】
請求項６の考案によれば、１個の蓋であっても複数の調理用容器に対応することができる。
【００１９】
請求項７の考案によれば、取手の先端側を蓋本体をかぶせたとき調理用容器の中心に配置でき、蓋を扱いやすくなる。
【考案を実施するための最良の形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２１】
図は一実施例を示しており、フライパンや鍋などの調理用容器１の上部開口２を着脱自在に覆う蓋本体３は平面が円形な板状であり、その円中心４よりやや外側、すなわち横方向一側（図１においては下側）に偏位した取り付け箇所Ｐに、取手５を取り付けるための取付用座６がほぼ摘み形状となって蓋本体３の上面３Ａにおいて上方へ突設している。取付用座６は合成樹脂製であって軸線方向（図示せず）が上下方向を向いたほぼ円柱状である。
【００２２】
そして、この蓋本体３では、蓋本体３の周縁である蓋縁３Ｂの内側に、該蓋縁３Ｂに沿って平面が弧状の第１の突起７とその内側の第２の突起８が下方へ突設している。さらに第１の突起７とその外側の第２の突起８はほぼ同心円状に配置されると共に、該第１の突起７と第２の突起８の円中心は前記偏位しているほぼ取り付け箇所Ｐに設けられている。尚、第１の突起７と第２の突起８の円中心はほぼ取り付け箇所Ｐであればよい。
【００２３】
取手５は合成樹脂製であって、その先端側９を取付用座６に回動自在に接続しており、この取手５は調理、自立時に蓋本体３の横方向の一側斜め上方に向かって起立するように設けられており、この状態では上面３Ａと握り部10との間には指（図示せず）が挿入可能な間隔Ｊによって空間が形成されている。一方収納時には蓋本体３の上面３Ａの横方向他側（図１において上側）に沿うように伏す状態となる。この取手５は先端側９から他端側の握り部10に向かってほぼ直線状に横長に形成されると共に、この握り部10の端10Ａは幅大であって自由端となっている。また前記先端側９は取付用座６を間隔Ｋをおいて内側部11Ａが跨るような二股部11が設けられており、この二股部11の先端と取付用座６の周面との間にヒンジ軸12を介して回動自在に設けられている。実施例では蓋本体３一側と他側を結ぶ仮想線（図示せず）と直交する方向にヒンジ軸12の長手方向が向いており、これにより取手５はヒンジ軸12を回転中心として一側から他側に回動するようになっている。
【００２４】
そして、取手５と取付用座６との間にはストッパー13が介在している。このストッパー13は取手５を一側の斜め上方に起立する状態に固定できるようにするためのものであり、取付用座６の周面の一側の上部と下部に第１のストッパー受け部14と第２のストッパー受け部15を間隔をおいてそれぞれ突起状に形成する。一方、先端側５の内側部11Ａに第１のストッパー受け部14に係止可能なストッパー本体16を内側に突設する。そして取付用座６のほぼ真上位置側にある取手５を一側に回動することにより、ストッパー本体16を第１のストッパー受け部14に無理やり乗り上げ、ストッパー本体16が第１のストッパー受け部14の下方に移動して上向き方向が係止され、同時に内側部11Ａの縁が第２のストッパー受け部15に下向き方向に係止されて、取手５を一側斜め上向きとなって起立、固定する。一方、取手５が蓋本体３の上面３Ａの他側に向かって伏した状態ではヒンジ軸12を回転中心として取手５が載置した状態となるように、取手５の回動角度Ａを横方向の他側から挟角が鈍角となる一側まで形成するようにする（９０度＜回動角度Ａ＜１８０度）。
【００２５】
さらに、前記取手５の横長手方向長さＬ（取り付け箇所Ｐと端10Ａまでの長さＬ）を、先端側５、すなわち取り付け箇所Ｐと蓋本体３の横方向他側の蓋縁３Ｂを結ぶ長さＭよりも短く形成する（Ｌ＜Ｍ）。
【００２６】
次に前記構成についてその作用を説明する。図１に示すように自立させるときや或いは調理時において調理用容器（図示せず）の上部開口２を閉じるときには、ストッパー本体16を第１のストッパー受け部14を無理やり乗り上げてストッパー本体16がストッパー13受け部の下方に移動して上向き方向が係止され、同時に内側部11Ａの縁が第２のストッパー受け部15に下向き方向に係止されて、取手５を一側斜め上向きに固定し、そして、上部開口２に蓋縁３Ｂを載置して調理用容器１を閉蓋する。
【００２７】
尚、調理用容器１Ａの上部開口２Ａの口径が小さいようなときには、蓋縁３Ｂではなくより直径が小さい第１の突起７、さらには第２の突起８に係止して閉蓋する。
【００２８】
一方、収納時にはヒンジ軸12を回転中心として取手５を他側に回動する。この回動ではストッパー本体16が第１のストッパー受け部14を無理やり乗り超え、ストッパー本体16が第１のストッパー受け部14の上方に移動して係止が解除され、同時に内側部11Ａの縁も第１のストッパー受け部14を通過して回動し、取手５は上面３Ａに沿うように伏して折りたたんだ状態となる。この際、円中心４より一側に偏位した取り付け箇所Ｐに前記取付用座６を設け、取手５の横長手方向長さＬを、先端側９、すなわち取付用座６の中心と蓋本体３の他側の蓋縁３Ｂを結ぶ長さＭよりも短く形成したことにより、折りたたんだ状態では握り部10の端10Ａが蓋本体３の他側の蓋縁３Ｂよりはみ出るようなことはなく、収納することができる。
【００２９】
尚、蓋を立てておくときは、図１の２点鎖線で示すように設置面17を下側としてその上に取手５の幅大な端10Ａと蓋縁３Ｂを接地させて蓋本体３を支持するようにする。
【００３０】
以上のように、前記実施例では請求項１に対応して、フライパンや鍋などの調理用容器１の蓋本体３の上面３Ａに、先端側９を接続して取手５を前記上面３Ａと間隔Ｊをおいて横向きまたは横斜め上向きに設け、先端側９を蓋本体３に回動自在に接続して取手５を起伏可能に設けたことにより、調理時などの使用時は取手５を起こし、一方収納時は取手５を折りたたむことによって使用時に比べ製品高さが低くなり、狭い空間にも収納が可能となり、さらに取手５は蓋本体３と一体的なので紛失することもない。
【００３１】
また、前記実施例では請求項２に対応して、先端側９を蓋本体３の上面３Ａに取付用座６を介して接続すると共に、該取付用座６と取手５との間にストッパー13を設けたことにより、取手５を所定の角度Ａの位置で固定状態とすることができるので、取手５が使用時にぐらつかずに安定した状態で使用することができる。
【００３２】
さらに、前記実施例では請求項３に対応して、取付用座６は上面３Ａより上方に向けて突設しており、該取付用座６を跨ぐ二股部11を先端側９に設けると共に、該二股部11をヒンジ軸12を介して取付用座６に回動自在に設け、二股部11にストッパー13の本体16を設けると共に、取付用座６に本体16が乗り越えて係止可能な第１のストッパー受け部14を設けたことにより、ストッパー13が握り部10側にあらわれずにすみ、握りやすく、また取手５にストッパー13の本体16が一体なのでストッパー13まわりを小型化できる。
【００３３】
また、前記実施例では請求項４に対応して、先端側９を蓋本体３の円中心４より該蓋本体３の横方向の一側の取り付け箇所Ｐに設け、取手５の回動角度Ａを横方向の他側から挟角が鈍角となるまでに形成することにより、使用時は一側斜め方向に起立し、一方収納時は横方向の他側に伏した状態とすることにより、上面３Ａにおける伏した取手５の収納スペースを先端側９から横方向他側の蓋縁３Ｂまでとすることができるので、先端側９を蓋本体３の円中心４とした場合に比較して取手５の横方向長さＬを大きくでき、この結果使用時における握り部10と上面３Ａとの距離を大きくでき、使用者が熱くなった蓋本体３への接触を防止するための空間を広く取れることとなる。
【００３４】
しかも、前記実施例では請求項５に対応して、蓋本体３は平面が円形であって、その円中心４より該蓋本体３の横方向一側に偏位した取り付け箇所Ｐに先端側９を設け、取手５の横長手方向長Ｌさを、先端側９と蓋本体３の横方向他側の蓋縁３Ｂを結ぶ長さＭよりも短く形成したことにより、請求項４と同様に取手５の収納スペースを先端側９から横方向他側の蓋縁３Ｂまでとするように大きくでき、さらに取手５の横長手方向長さＬを、先端側９と蓋本体３の横方向他側の蓋縁３Ｂを結ぶ長さＭよりも短く形成したことで、取手５の握り部10が縁より外側に突設することはなく、収納時に取手５が蓋縁３Ｂより突出してしまうようなことがなくなる。
【００３５】
また、前記実施例では請求項６に対応して、前記蓋本体３は平面が弧状の第１の突起７、その内側の第２の突起８が蓋縁３Ｂに沿って下方へ突設していることにより、様々な口径を有する調理用容器の上部開口２に突起７，８を嵌合することで、１個の蓋であっても複数の調理用容器１に対応することができる。
【００３６】
さらに、前記実施例では請求項７に対応して、前記弧状の第１の突起７、第２の突起８はほぼ同心円状に配置されると共に、該第１の突起７、第２の突起８の円中心は一側に偏位している取り付け箇所Ｐであると共にほぼ該取り付け箇所Ｐに先端側９を設けたことにより、請求項６と同様に１個の蓋であっても複数の調理用容器に対応することができ、さらに蓋本体３をかぶせたとき調理用容器１の上部開口２の円中心に取手５の先端側９を配置でき、蓋本体３を扱いやすくなる。
【産業上の利用可能性】
【００３７】
以上のように本考案にかかる取手付き蓋は、各種の用途に適用できる。例えば、取手の回動は実施例のような角度Ａではなく、該角度Ａを外角としたとき請求項１などにおいて内角側を回動角度とするようにしてもよい。
【図面の簡単な説明】
【００３８】
【図１】本考案の一実施例を示す取手を起立して蓋を立てた状態の斜視図である。
【図２】同取手を伏した状態の斜視図である。
【図３】同取手を起立した状態の要部の斜視図である。
【図４】同取手を伏した状態の要部の斜視図である。
【符号の説明】
【００３９】
１  調理用容器
３  蓋本体
３Ａ  上面
３Ｂ  蓋縁
４  円中心
５  取手
６  取付用座
９  先端側
11  二股部
13  ストッパー
14  第１のストッパー受け部
16  ストッパー本体
Ａ  角度
Ｊ  間隔
Ｌ  横方向長さ
Ｍ  長さ
Ｐ  取り付け箇所（中心）
【図１】
0003125074.tif 000003
【図２】
0003125074.tif 000004
【図３】
0003125074.tif 000005
【図４】
0003125074.tif 000006